(57)【要約】【課題】  間仕切支柱への取付け、下地補強材の取付けが簡単、確実であり、分割して使用することも可能であると共に、安定した強度を有した取り扱い易い下地補強材取付け金具を提供することにある。【解決手段】  薄鋼板からなる基板と、該基板の片面に設け間仕切支柱に嵌合する嵌合部と、該嵌合部の両側に設け下地補強材を挟む挟持部と、前記基板の適所に設けた前記間仕切支柱及び前記下地補強材に固定するためのビス止め用の透孔とからなる間仕切支柱用下地補強材取付け金具において、先尖部が外方に向いた涙型の透孔が連設する切断部を少なくとも2ケ所適宜間隔により前記基板のほぼ中央の長手方向に沿って設けたことを特徴とする。【選択図】図1
2011184952.tif 000002
【特許請求の範囲】
【請求項１】
薄鋼板からなる基板と、該基板の片面に設け間仕切支柱に嵌合する嵌合部と、該嵌合部の両側に設け下地補強材を挟む挟持部と、前記基板の適所に設けた前記間仕切支柱及び前記下地補強材に固定するためのビス止め用の透孔とからなる間仕切支柱用下地補強材取付け金具において、先尖部が外方に向いた涙型の透孔が連設する切断部を少なくとも2ケ所適宜間隔により前記基板のほぼ中央の長手方向に沿って設けたことを特徴とする間仕切支柱用下地補強材取付け金具。
【請求項２】
前記切断部の対向する両側の切断面が当接した状態で形成したことを特徴とする請求項１に記載の間仕切支柱用下地補強材取付け金具。
【発明の詳細な説明】
【技術分野】
【０００１】
この発明は建物の内部空間に所定の間隔で立設する間仕切支柱に壁材を貼設する間仕切壁の構築工事において、間仕切支柱の間に設備機器等を固定するための下地補強材を取付けるための間仕切支柱用下地補強材取付け金具に関する。
【背景技術】
【０００２】
従来、この種の下地補強材取付け金具として、例えば、特開２００４−１２４４４７号が開示されている。
薄鋼板からなるＨ字状の基板と該基板の両端から連設した左右の垂下片と該左右の垂下片より外方に前記基板と平行に連設された右片、左片から構成され、基板と左右の垂下片により間仕切支柱の側面に嵌合すると共に、基板と右片、左片により下地補強材を挟んだ状態で基板に設けたビス孔からビスを打込んでそれぞれ固定するものである。
また、基板の中央部には貫通孔と該貫通孔の延長線上に上Ｖ字型溝と下Ｖ字型溝を形成して左右対称に分割して別々に使用することができるものである。
その他、同目的の金具として特開平１１−２２０７１号や実開平１−４７１７号が開示され、共に薄鋼板からなる基板を適宜折り曲げて間仕切支柱の側面に嵌合する嵌合部とその両側に下地補強材の取付け部を設けて、ビス止め固定するものである。
【０００３】
上記従来の方法では、左右対称に分割するために基板の中央部に貫通孔と該貫通孔の延長線上には上Ｖ字型溝と下Ｖ字型溝を形成し、それらを中心線として折り曲げ、Ｖ字型溝の接合部分を破断することで分割を可能としたものであった。
この種の下地補強材は間仕切支柱とその間仕切柱に貼設する壁材との間に介在することになるため、間仕切支柱面からの突出をなるべく少なくして壁材の仕上げ高さが部分的に変わらないようにするため、例えば、０．６ミリメートル程度の厚みの非常に薄い鋼板を使用し、金属プレス加工により成形されることが一般的である。
すなわち、Ｖ字型溝の接合部分の肉厚は非常に薄く、加工精度が必要になる。
加工精度が不安定になれば折り曲げて分割することが困難になる、必要時以外に折れ曲がって破断する可能性があり、取り扱いが困難になるなどの問題点があった。
【先行技術文献】
【特許文献】
【０００４】
【特許文献１】特開２００４−１２４４４７
【特許文献２】特開平１１−２２０７１号
【特許文献３】実開平１−４７１７号
【発明の概要】
【発明が解決しようとする課題】
【０００５】
この発明は上記従来の課題に鑑みなされたもので、その目的は、間仕切支柱への取付け、下地補強材の取付けが簡単、確実であり、分割して使用することも可能であると共に、安定した強度を有した取り扱い易い下地補強材取付け金具を提供することにある。
【課題を解決するための手段】
【０００６】
その手段として本発明の請求項1は、薄鋼板からなる基板と、該基板の片面に設け間仕切支柱に嵌合する嵌合部と、該嵌合部の両側に設け下地補強材を挟む挟持部と、前記基板の適所に設けた前記間仕切支柱及び前記下地補強材に固定するためのビス止め用の透孔とからなる間仕切支柱用下地補強材取付け金具において、先尖部が外方に向いた涙型の透孔が連設する切断部を少なくとも2ケ所適宜間隔により前記基板のほぼ中央の長手方向に沿って設けたことを特徴とする。
【０００７】
本発明の請求項２は、前記切断部の対向する両側の切断面が当接した状態で形成したことを特徴とする。
【発明の効果】
【０００８】
本発明の間仕切支柱用下地補強材取付け金具によれば、基板と間仕切支柱に嵌合する嵌合部と該嵌合部の両側に設け下地補強材を挟む挟持部を薄鋼板により形成し、前記間仕切支柱及び前記下地補強材に固定するためのビス止め用の透孔を適所に設けたことで、ビスを打込んで固定することで間仕切支柱、下地補強材を容易に取付けることができる。
切断部を少なくとも2ケ所適宜間隔に設けたことにより、前記嵌合部のほぼ中央の長手方向に沿って部分的に接合部が形成され、その部分を中心線として折り曲げれば、金属疲労をおこして接合部が破断して分割することができる。
切断部の両端には先尖部が外方に向いた涙型の透孔が連設するため、隣接する切断部は涙型の透孔の先尖部が対向した状態となるので折り曲げ時に係る応力が集中して破断し易くなり分割する際の作業性も向上する。
また、透孔と切断面という簡単な形状の組合せなのでプレス加工が容易であり、特別な加工精度を必要としない。
【０００９】
切断部の対向する両側の切断面が当接した状態で形成しているので、分割しない時の折れ曲がり方向に対する変形を防止することができるので取り扱い易くなるなど、上記従来の課題を解消することができる。
【図面の簡単な説明】
【００１０】
【図１】本発明の実施例を示す斜視図
【図２】本発明の実施例を示す平面図
【図３】本発明の実施例の切断部を示す部分拡大図
【図４】本発明の実施例の分割後を示す斜視図
【図５】本発明の実施例の使用状態図
【発明を実施するための形態】
【００１１】
本発明の実施例を図面により詳細に説明する。
図１は本発明の実施例を示す斜視図、図２は本発明の実施例を示す平面図、図３は本発明の実施例の切断部を示す部分拡大図、図４は本発明の実施例の分割後を示す斜視図である。
矩形状の薄鋼板からなる基板１の両端をそれぞれ2ヵ所切り起して形成した4つの嵌合片２・・により嵌合部３を形成する。
嵌合片２・・の先端を基板１と平行になるように外側に向かって屈曲させた挟持片４・・をそれぞれ形成して基板１と挟持部５を形成する。
６・・は基板１に設けたビス止め用の透孔である。
７・・は嵌合片１１のほぼ中央部分を内側に切り起して形成した係止突起片であり、間仕切支柱に嵌合する際に間仕切支柱の側面に競った状態で押し込まれるため、係止突起片７・・の復元力により基板１の仮止めを可能にする。
８、８は切断部であり、対向する両側の切断面の間隙に隙間がない当接した状態で形成する。
この間隙はできるだけないほうが好ましいが、これに限るものではない。
切断部８、８の両端には涙型の透孔９の先尖部１０が外方に向いて連設させる。
切断部８、８は基板１のほぼ中央の長手方向に2ケ所設ける。
また、１１、１１は切断部８、８の外側の透孔９、９の先尖部１０、１０に対向するように基板１の端縁に設けた切欠部であり、分割の際の折り曲げ時に係る応力の集中させ破断し易くするためである。
【００１２】
次に本発明の実施例の使用方法を実施例を用いて説明する。
図５は本発明の実施例の使用状態図である。
間仕切支柱Ａの両側に下地補強板Ｂを取付ける場合には、基板１の嵌合部３を間仕切支柱Ａの適宜高さ位置に側面から嵌めて透孔６・・よりビスＣを固定する。
その際に嵌合片２・・の係止突起片７が間仕切支柱Ａの側面に競った状態で押し込まれるので、係止突起片７・・の復元力により基板１が仮止めを可能となり、手を放すことができるので作業性が向上する。
挟持部５に下地補強板Ｂを差し込んで透孔６・・よりビスＣを打込んで固定する。
間仕切支柱Ａの片側に下地補強板Ｂを取付ける場合には、基板１のほぼ中央の長手方向に設けた切断部８、８を中心線として折り曲げて破断、分割する。
その分割した一方の嵌合片２、２を間仕切支柱Ａの側面に当接した状態で透孔６・・からビスＣ止め固定する。
挟持部５に下地補強板Ｂを差し込んで透孔６・・・よりビスＣを打込んで固定する。
他方は別の場所に使えることとなる。
下地補強材Ｂの取付け後、間仕切支柱Ａに壁材を貼り付けて間仕切壁を構築する。
【符号の説明】
【００１３】
１    基板
２    嵌合片
３    嵌合部
４    挟持片
５    挟持部
６    透孔
７    係止突起片
８    切断部
９    涙型の透孔
１１  切欠部
Ａ  間仕切支柱
Ｂ  下地補強板
Ｃ  ビス
【図１】
2011184952.tif 000003
【図２】
2011184952.tif 000004
【図３】
2011184952.tif 000005
【図４】
2011184952.tif 000006
【図５】
2011184952.tif 000007